(57)【要約】【課題】この発明は、例えばディスクトレイの移動やモータの駆動等によりタッチスイッチの放電時間に変化が生じたとしても、人体の接触を常に同じ信頼性を持って判別することができ、十分に実用に適し得るようにしたタッチスイッチの補正装置及びタッチスイッチの補正方法を提供することを目的としている。【解決手段】人体の非接触時と接触時とにおける放電時間が異なることにより、操作されたか否かが判別されるタッチスイッチ（１７）に対して、人体の非接触時における放電時間と人体の接触を判別するためのしきい値となる放電時間との差が常に同じになるように定期的に補正処理を施す際、その補正処理を、モータ（２１）の駆動中は実行させず、モータ（２１）の駆動が停止された時点で実行させるように制御する制御手段（３６，３６ｄ）を備える。【選択図】      図２
2009225022.tif 000002
【特許請求の範囲】
【請求項１】
モータの駆動力を用いてディスクトレイを本体に対して出入させることによりディスクの出し入れを行なうディスクドライブを備えた機器に使用されるタッチスイッチの補正装置であって、
電極に対する充放電を繰り返し、人体の非接触時における放電時間と、人体の接触時における放電時間とが異なることを利用して、操作されたか否かが判別されるタッチスイッチと、
前記タッチスイッチに対して、人体の非接触時における放電時間を測定し、その測定された放電時間から人体の接触を判別するためのしきい値となる放電時間を設定することにより、人体の非接触時における放電時間と人体の接触を判別するためのしきい値となる放電時間との差が常に同じになるように定期的に補正処理を施す補正手段と、
前記補正手段による補正処理を、前記モータの駆動中は実行させず、前記モータの駆動が停止された時点で実行させるように制御する制御手段とを具備することを特徴とするタッチスイッチの補正装置。
【請求項２】
前記制御手段は、前記ディスクドライブを備えた機器に対して、リモートコントローラによる操作が行なわれたとき、前記補正手段による補正処理を実行させることを特徴とする請求項１記載のタッチスイッチの補正装置。
【請求項３】
前記制御手段は、前記ディスクドライブを備えた機器の温度が、一定時間内に所定量変化したとき、前記補正手段による補正処理を実行させることを特徴とする請求項１記載のタッチスイッチの補正装置。
【請求項４】
リモートコントローラによって操作可能な機器に使用されるタッチスイッチの補正装置であって、
電極に対する充放電を繰り返し、人体の非接触時における放電時間と、人体の接触時における放電時間とが異なることを利用して、操作されたか否かが判別されるタッチスイッチと、
前記タッチスイッチに対して、人体の非接触時における放電時間を測定し、その測定された放電時間から人体の接触を判別するためのしきい値となる放電時間を設定することにより、人体の非接触時における放電時間と人体の接触を判別するためのしきい値となる放電時間との差が常に同じになるように定期的に補正処理を施す補正手段と、
前記補正手段による補正処理を、前記リモートコントローラが操作された時点で実行させるように制御する制御手段とを具備することを特徴とするタッチスイッチの補正装置。
【請求項５】
電極に対する充放電を繰り返し、人体の非接触時における放電時間と、人体の接触時における放電時間とが異なることを利用して、操作されたか否かが判別されるタッチスイッチと、
前記タッチスイッチに対して、人体の非接触時における放電時間を測定し、その測定された放電時間から人体の接触を判別するためのしきい値となる放電時間を設定することにより、人体の非接触時における放電時間と人体の接触を判別するためのしきい値となる放電時間との差が常に同じになるように定期的に補正処理を施す補正手段と、
前記補正手段による補正処理を、温度が一定時間内に所定量変化した時点で実行させるように制御する制御手段とを具備することを特徴とするタッチスイッチの補正装置
【請求項６】
モータの駆動力を用いてディスクトレイを本体に対して出入させることによりディスクの出し入れを行なうディスクドライブを備えた機器に使用されるタッチスイッチの補正方法であって、
電極に対する充放電を繰り返し、人体の非接触時における放電時間と、人体の接触時における放電時間とが異なることを利用して、操作されたか否かが判別されるタッチスイッチに対して、人体の非接触時における放電時間を測定し、その測定された放電時間から人体の接触を判別するためのしきい値となる放電時間を設定することにより、人体の非接触時における放電時間と人体の接触を判別するためのしきい値となる放電時間との差が常に同じになるように定期的に補正処理を施す工程と、
前記補正処理を、前記モータの駆動中は実行させず、前記モータの駆動が停止された時点で実行させるように制御する工程とを具備することを特徴とするタッチスイッチの補正方法。
【発明の詳細な説明】
【技術分野】
【０００１】
この発明は、例えばＤＶＤ（digital versatile disk）のような光ディスクに対して情報の記録または再生を行なう光ディスクドライブ等に使用して好適するタッチスイッチの補正装置及びタッチスイッチの補正方法に関する。
【背景技術】
【０００２】
周知のように、首記の如き光ディスクドライブにあっては、その本体に設置された操作部を操作することによって主要な動作を制御することができるとともに、リモートコントローラを操作することによって種々の細かい設定や動作等の制御を行なうことができるようになっている。
【０００３】
ここにおいて、近年、光ディスクドライブの本体に設置される操作部については、その耐久性やデザイン性等を考慮してタッチスイッチが使用されてきている。このタッチスイッチは、人体の非接触時と接触時との静電容量の差異に基づく放電時間の違いを利用して操作されたか否かを判別している。
【０００４】
すなわち、このタッチスイッチは、電極に電圧を印加し対地に対して所定電圧になるまで充電した後、一定電流で放電させる動作を繰り返し行なっており、人体の接触時に、電極と対地間の静電容量が非接触時よりも大きくなって、放電時間が非接触時よりも予め設定された所定時間（しきい値）以上に長くなることで操作されたことを判別している。
【０００５】
この場合、タッチスイッチにおける放電時間は、周囲温度の影響によって変化し易いことが知られている。一般に、人体の非接触時において比較すると、タッチスイッチにおける放電時間は、周囲温度が高くなるにつれて長くなり、周囲温度が低くなるにつれて短くなる傾向にある。
【０００６】
つまり、タッチスイッチにおいては、温度変化により人体の非接触時における放電時間が変化するので、人体の接触を判別するためのしきい値となる放電時間を固定したままにしておくと、非接触時における放電時間としきい値となる放電時間との差ΔＴが変化してしまい、人体の接触を常に同じ信頼性を持って判別することができなくなる。
【０００７】
このため、タッチスイッチでは、人体の非接触時における放電時間を定期的に更新し、この更新された放電時間から予め設定された所定時間ΔＴだけ長い放電時間を人体の接触を判別するためのしきい値とするように補正処理を施している。この補正処理によって、非接触時における放電時間としきい値となる放電時間との差ΔＴが一定に保たれ、人体の接触を常に同じ信頼性を持って判別することができるようになる。
【０００８】
ところで、上記した光ディスクドライブにあっては、その本体からディスクトレイを外方に突出させて光ディスクを載置し、そのディスクトレイを本体内に収容させて光ディスクに対する記録や再生等を行なうようにしている。この場合、ディスクトレイは、モータの駆動力により本体に対して出入されるようになっている。
【０００９】
このため、ディスクトレイの移動がタッチスイッチの静電容量に変化を与えてその放電時間に変化を生じさせたり、モータ駆動時のノイズが放電時間に変化を生じさせたりすることがあるので、上記した補正処理を行なっても、タッチスイッチの信頼性を保持することが困難になっている。
【００１０】
特許文献１には、スイッチに接触していないときの静電容量を基準とし、この基準からの静電容量の変化量でスイッチへの接触を判断するタッチパネルであって、スイッチに接触していないと判断されているときに基準を自動更新して、温度等の使用環境が変化しても安定したスイッチ操作を行なえるようにしたタッチパネルの構成が開示されている。
【特許文献１】特開２００７−２０８６８２号公報
【発明の開示】
【発明が解決しようとする課題】
【００１１】
そこで、この発明は上記事情を考慮してなされたもので、例えばディスクトレイの移動やモータの駆動等によりタッチスイッチの放電時間に変化が生じたとしても、人体の接触を常に同じ信頼性を持って判別することができ、十分に実用に適し得るようにしたタッチスイッチの補正装置及びタッチスイッチの補正方法を提供することを目的とする。
【課題を解決するための手段】
【００１２】
すなわち、この発明に係るタッチスイッチの補正装置は、モータの駆動力を用いてディスクトレイを本体に対して出入させることによりディスクの出し入れを行なうディスクドライブを備えた機器に使用されるものを対象としている。そして、電極に対する充放電を繰り返し、人体の非接触時における放電時間と、人体の接触時における放電時間とが異なることを利用して、操作されたか否かが判別されるタッチスイッチと；タッチスイッチに対して、人体の非接触時における放電時間を測定し、その測定された放電時間から人体の接触を判別するためのしきい値となる放電時間を設定することにより、人体の非接触時における放電時間と人体の接触を判別するためのしきい値となる放電時間との差が常に同じになるように定期的に補正処理を施す補正手段と；補正手段による補正処理を、モータの駆動中は実行させず、モータの駆動が停止された時点で実行させるように制御する制御手段とを備えるようにしたものである。
【００１３】
また、この発明に係るタッチスイッチの補正方法は、モータの駆動力を用いてディスクトレイを本体に対して出入させることによりディスクの出し入れを行なうディスクドライブを備えた機器に使用されるものを対象としている。そして、電極に対する充放電を繰り返し、人体の非接触時における放電時間と、人体の接触時における放電時間とが異なることを利用して、操作されたか否かが判別されるタッチスイッチに対して、人体の非接触時における放電時間を測定し、その測定された放電時間から人体の接触を判別するためのしきい値となる放電時間を設定することにより、人体の非接触時における放電時間と人体の接触を判別するためのしきい値となる放電時間との差が常に同じになるように定期的に補正処理を施す工程と；補正処理を、モータの駆動中は実行させず、モータの駆動が停止された時点で実行させるように制御する工程とを備えるようにしたものである。
【発明の効果】
【００１４】
上記した発明によれば、タッチスイッチに対する補正処理を、モータの駆動中は実行させず、モータの駆動が停止された時点で実行させるようにしたので、例えばディスクトレイの移動やモータの駆動等によりタッチスイッチの放電時間に変化が生じたとしても、人体の接触を常に同じ信頼性を持って判別することができ、十分に実用に適するものとすることができる。
【発明を実施するための最良の形態】
【００１５】
以下、この発明の実施の形態について図面を参照して詳細に説明する。図１は、この実施の形態で説明する光ディスクドライブとして光ディスク再生装置１１の外観を示している。すなわち、この光ディスク再生装置１１は、略薄型の箱状に形成されたキャビネット１２を有している。
【００１６】
そして、このキャビネット１２には、その正面パネル１２ａに、電源スイッチ１３、ディスクトレイ１４、ディスクトレイ開閉スイッチ１５、表示部１６、複数の静電式のタッチスイッチ１７を有する操作部１８、リモートコントローラ１９から送信された操作情報を受信する受信部２０等が、それぞれ配設されている。
【００１７】
図２は、上記光ディスク再生装置１１の信号処理系を示している。この光ディスク再生装置１１は、上記ディスクトレイ開閉スイッチ１５を操作することにより、上記ディスクトレイ１４を、キャビネット１２の正面パネル１２ａに対して、モータ２１の駆動力で水平に出入させるディスクドライブ部２２を備えている。
【００１８】
このディスクドライブ部２２は、ＤＶＤ等の光ディスク２３が搭載されたディスクトレイ１４をキャビネット１２内に引き込み、その光ディスク２３を把持して回転させ、光学式ヘッド（図示せず）を用いて、当該光ディスク２３からその記録データを読み取るように機能する。
【００１９】
そして、ディスクドライブ部２２により光ディスク２３から読み取られたデータは、トラックバッファ２４に一旦格納された後、デマルチプレクサ部２５に供給される。このデマルチプレクサ部２５は、入力されたデータをそれぞれ圧縮符号化処理が施された映像データと音声データとに分離する。
【００２０】
このうち、映像データは、映像入力バッファ２６を介して映像デコーダ２７に供給されて復号化処理が施される。そして、復号化された映像データは、Ｄ／Ａ（digital／analog）変換部２８に供給されてアナログの映像データに変換された後、映像出力端子２９を介して外部に取り出され、モニタ３０による映像表示に供される。
【００２１】
また、上記デマルチプレクサ部２５で分離された音声データは、音声入力バッファ３１を介して音声デコーダ３２に供給されて復号化処理が施される。そして、復号化された音声データは、Ｄ／Ａ変換部３３に供給されてアナログの音声データに変換された後、音声出力端子３４を介して外部に取り出され、スピーカ３５による音声再生に供される。
【００２２】
ここで、このディスク再生装置１１は、上記した再生動作を含むその全ての動作を制御部３６によって統括的に制御されている。この制御部３６は、ＣＰＵ（central processing unit）３６ａ等を内蔵しており、上記操作部１８からの操作情報、または、上記リモートコントローラ１９から送出され受信部２０で受信した操作情報を受け、その操作内容が反映されるように各部をそれぞれ制御している。
【００２３】
この場合、制御部３６は、メモリ部３６ｂを利用している。このメモリ部３６ｂとしては、主として、制御部３６のＣＰＵ３６ａが実行するための制御プログラムを格納したＲＯＭ（read only memory）と、該ＣＰＵ３６ａに作業エリアを提供するためのＲＡＭ（random access memory）と、各種の設定情報及び制御情報等を格納するための不揮発性メモリとを有している。
【００２４】
また、この制御部３６は、上記表示部１６を制御して、光ディスク再生装置１１の現在の状態や各種の設定状態等を表示させたり、光ディスク再生装置１１を各種のモードに設定するためのメニューを表示させたりしている。さらに、この制御部３６は、タイマ部３７を制御して、現在時刻の認識や時間の計測等を行なうことができる。また、この制御部３６は、温度測定部３８により現在の周囲温度を認識することができる。
【００２５】
そして、上記制御部３６は、タッチスイッチ補正部３６ｃ及びタッチスイッチ補正制御部３６ｄを備えている。このうち、タッチスイッチ補正部３６ｃは、上記操作部１８を構成する複数のタッチスイッチ１７に対して、人体の非接触時における放電時間を定期的に測定して更新し、この更新された放電時間から予め設定された所定時間ΔＴだけ長い放電時間を人体の接触を判別するためのしきい値とするように補正処理を施している。
【００２６】
このような補正処理を行なうことによって、周囲温度により人体の非接触時における放電時間が変化した場合にも、人体の非接触時における放電時間と、人体の接触を判別するためのしきい値となる放電時間との差ΔＴが一定に保持され、各タッチスイッチ１７が人体の接触を常に同じ信頼性を持って判別することができるようになる。
【００２７】
また、上記タッチスイッチ補正制御部３６ｄは、詳細は後述するが、タッチスイッチ補正部３６ｃが本来定期的に行なっている上述した補正処理を、予め設定された所定の禁止条件が成立している状態で実行させないように制御したり、駆動条件の発生に基づいて不定期に実行させたりするように制御している。
【００２８】
すなわち、図３は、タッチスイッチ１７の構成を示している。このタッチスイッチ１７は、上記制御部３６からポート１７ａを介して充電電圧が印加されるもので、人体（人の指等）１７ｂが接触される操作パネル１７ｃに近接して配置された電極１７ｄと、この電極１７ｄにコレクタが接続され、上記制御部３６からポート１７ｅを介してゲート電圧がベースに印加されるＮＰＮ型のトランジスタ１７ｆと、このトランジスタ１７ｆのエミッタと接地端との間に介挿接続された抵抗１７ｇと、上記トランジスタ１７ｆのベースと接地端との間に図示極性で直列に介挿接続されたダイオード１７ｈ，１７ｉとから構成されている。
【００２９】
そして、このタッチスイッチ１７では、ポート１７ａに充電電圧を印加して電極１７ｄを接地レベルに対して所定の電圧レベルになるまで充電した後、ポート１７ｅにゲート電圧を印加してトランジスタ１７ｆをオンさせ、電極１７ｄに充電された電荷を放電させるという動作が繰り返し行なわれている。
【００３０】
このときの放電電流は、抵抗１７ｇの値と、トランジスタ１７ｆのコレクタ−エミッタ間電圧効果（約０．７Ｖ）とで決まる一定値となる。また、放電時間は、操作パネル１７ｃに人体１７ｂが接触されていない状態を考えると、電極１７ｄと接地端との間の静電容量によって規定される値となる。
【００３１】
これに対し、操作パネル１７ｃに人体１７ｂが接触されると、電極１７ｄと接地端との間の静電容量に、人体の静電容量（約数１００ｐＦ）が加わるので、合わせた静電容量が大きくなり、放電時間が人体１７ｂの非接触時に比べて長くなる。このため、放電時間が非接触時よりも予め設定された所定時間（しきい値）以上に長くなったことを検出することにより、操作されたことを判別することができる。
【００３２】
すなわち、上記制御部３６は、人体１７ｂの非接触時における放電時間を基準値として記憶しておき、上記しきい値を越える放電時間の増加が検出されたときに、人体１７ｂが接触されたと判断している。なお、電極１７ｄの面積や、操作パネル１７ｃの材質等にもよるが、充放電の周期は、１ｍＳ未満で行なわれるように設定される。
【００３３】
ところで、タッチスイッチ１７においては、一般に、非接触時でも、温度により、操作パネル１７ｃや空気中の水の誘電率が変化するため、放電時間は変化する。すなわち、図４に示すように、周囲温度が高くなると非接触時における放電時間が長くなり、周囲温度が低くなると非接触時における放電時間が短くなることが知られている。
【００３４】
図４において、（ａ）は、周囲温度が２０度での非接触状態での放電時間を示し、（ｂ）は、人体の接触を判別するために、この非接触時の放電時間（ａ）から予め設定された所定時間ΔＴだけ長く設定されたしきい値を示している。この場合、上記制御部３６は、放電時間がしきい値（ｂ）を超えたときに、タッチスイッチ１７が操作されたことを判別する。
【００３５】
温度が高くなり、非接触時における放電時間（ａ）が（ａ１）まで長くなった場合、しきい値（ｂ）が固定されていると、上記所定時間ΔＴに満たない（ａ１）〜（ｂ）なるわずかな放電時間の変化でしきい値（ｂ）に至ってしまうため、制御部３６は、タッチスイッチ１７が操作されたと誤判定し易くなる。
【００３６】
このため、上記したタッチスイッチ補正部３６ｃでは、予め設定された間隔で放電時間を所定時間計測し、当該計測時間内で放電時間に上記所定時間ΔＴ以上の増加がない場合に、その放電時間を非接触時における新たな放電時間として設定し、その設定された放電時間から所定時間ΔＴだけ長い時間を、人体の接触を判別するための新たなしきい値とするように補正処理を施し、接触の有無を常に感度良く判定することができるようにしている。
【００３７】
図４で言えば、非接触時における放電時間（ａ）が（ａ１）まで長くなった場合、その（ａ１）を非接触時における新たな放電時間（基準値）として設定し、それよりも所定時間ΔＴだけ長い放電時間（ｂ１）を、人体の接触を判別するための新たなしきい値とするようにしている。
【００３８】
これにより、非接触時における放電時間と人体の接触を判別するためのしきい値との差分の時間ΔＴが、常に一定値となるように補正されることになり、人体の接触を常に同じ信頼性を持って判別することができる。この補正処理は、実際上、光ディスク再生装置１１内の内部発熱による温度上昇等を考慮して、例えば３分間隔等で動作させているのが一般的である。
【００３９】
ところで、上記した光ディスク再生装置１１にあっては、そのディスクトレイ１４の移動がタッチスイッチ１７の静電容量に変化を与えてその放電時間に変化を生じさせたり、ディスクトレイ１４を駆動するためのモータ２１の駆動時のノイズが放電時間に変化を生じさせたりすることがある。
【００４０】
図５は、ディスクトレイ１４を開閉させたときにおけるタッチスイッチ１７の放電時間の変化を示している。すなわち、ディスクトレイ１４が閉位置にある通常時に、人体の非接触時における放電時間が（ａ）となっている状態の時刻Ｐ０で、タッチスイッチ補正部３６ｃが動作されたとする。
【００４１】
すると、タッチスイッチ補正部３６ｃにより、人体の非接触時における放電時間が（ａ）に設定され、その放電時間（ａ）よりも所定時間ΔＴだけ長い放電時間（ｃ）が、人体の接触を判別するためのしきい値として設定されるように補正処理が施される。このため、時刻Ｓ０に示すように、放電時間がしきい値（ｃ）を超えると、制御部３６は、人体が接触された、つまり、タッチスイッチ１７が操作されたと判断する。
【００４２】
図５において、Ｔ１の期間は、ディスクトレイ１４が開いて閉じたときの放電時間を示している。ディスクトレイ１４が開くときは、ディスクトレイ１４を経由する付加静電容量が増えるので、放電時間が長くなり、かつ、ディスクトレイ１４の動作によるノイズも発生する。
【００４３】
今、期間Ｔ１内の時刻Ｐ２でタッチスイッチ補正部３６ｃが動作されると、人体の非接触時における放電時間が（ｂ）に設定され、その放電時間（ｂ）よりも所定時間ΔＴだけ長い放電時間（ｆ）が、人体の接触を判別するためのしきい値として設定されることになる。
【００４４】
このため、ディスクトレイ１４が閉じて元に戻った、期間Ｔ１の後の状態において、時刻Ｓ２で人体が接触したときにおける放電時間は（ｃ）になるが、（ｂ）−（ｃ）の差分値がΔＴ未満の値であるため、つまり、放電時間（ｃ）がしきい値（ｆ）を超えないため、制御部３６は、タッチスイッチ１７が操作されたと判断することができなくなる。
【００４５】
また、期間Ｔ１内におけるディスクトレイ１４の開放中において、開放完了に至るまでの非接触状態での放電時間の（ａ）から（ｂ）までの変化は、ディスクトレイ１４の位置やノイズ成分等の影響により、一定の傾きでは変化しない。
【００４６】
すなわち、期間Ｔ１内の時刻Ｐ１でタッチスイッチ補正部３６ｃが動作されると、人体の非接触時における放電時間が（ｄ）に設定され、その放電時間（ｄ）よりも所定時間ΔＴだけ長い放電時間（ｂ）が、人体の接触を判別するためのしきい値として設定されることになる。
【００４７】
このため、時刻Ｓ１で放電時間が（ｅ）になると、（ｄ）−（ｅ）の差分値がΔＴ以上の値となるため、つまり、放電時間（ｅ）がしきい値（ｂ）を超えるため、制御部３６は、タッチスイッチ１７が操作されたと判断してしまうことになる。
【００４８】
以上に述べたように、ディスクトレイ１４の開閉動作中に、つまり、モータ２１の駆動中にタッチスイッチ補正部３６ｃによる補正処理が施された場合、制御部３６が、タッチスイッチ１７が操作されたか否かの判断を誤まり易くなる。
【００４９】
そこで、この実施の形態では、上記したタッチスイッチ補正制御部３６ｄによって、タッチスイッチ補正部３６ｃが本来一定の間隔で定期的に行なっている補正処理を、ディスクトレイ１４の開閉動作中、つまり、モータ２１の駆動中は実行させず、モータ２１の駆動が停止した時点で実行させるように制御している。
【００５０】
すなわち、図６（ａ）は、ディスクトレイ１４の開閉動作が行なわれていない状態において、タッチスイッチ補正部３６ｃが実行する補正処理のタイミングを示している。つまり、ディスクトレイ１４の開閉が行なわれていない状態においては、タッチスイッチ補正部３６ｃは、予め設定された一定の時間ｔ１（例えば３分等）毎に、タッチスイッチ１７に対する補正処理１，２，……を実行している。
【００５１】
このような状態で、図６（ｂ）に示すように、定期的な補正処理２が開始される時点よりも前の時点でモータ２１の駆動１が開始され、定期的な補正処理２が開始される時点になってもモータ２１の駆動１が継続されているとする。
【００５２】
このとき、タッチスイッチ補正制御部３６ｄは、図６（ｃ）に示すように、タッチスイッチ補正部３６ｃに対して、本来の定期的な時点での補正処理２の実行を停止させ、モータ２１の駆動１が停止された時点で、タッチスイッチ１７に対する補正処理２を実行させるように制御している。
【００５３】
この場合、定期的な補正処理１が実行された後、次の補正処理２が実行されるまでの時間は、本来の時間ｔ１よりも長い時間ｔ２となるが、上記したようなタッチスイッチ１７の操作に対する誤まった判断が行なわれることを防止することができる。
【００５４】
また、図６（ｃ）に示すように、補正処理２が実行された後、モータ２１が駆動されなければ、タッチスイッチ補正部３６ｃは、本来の時間ｔ１が経過した後、タッチスイッチ１７に対する補正処理３を実行する。
【００５５】
さらに、上記補正処理３が実行された後、図６（ｂ）に示すように、モータ２１の駆動２が開始され、そのモータ２１の駆動２が、補正処理３が実行されてから本来の時間ｔ１が経過する前に停止されたとする。
【００５６】
このとき、タッチスイッチ補正制御部３６ｄは、図６（ｃ）に示すように、タッチスイッチ補正部３６ｃに対して、モータ２１の駆動２が停止された時点で、タッチスイッチ１７に対する補正処理４を実行させるように制御している。この場合、補正処理３が実行された後、次の補正処理４が実行されるまでの時間は、本来の時間ｔ１よりも短い時間ｔ３となるため、上記したようなタッチスイッチ１７の操作に対する誤まった判断が行なわれることをより確実に防止することができる。
【００５７】
上記した実施の形態によれば、タッチスイッチ補正部３６ｃが一定の間隔で定期的に行なっている補正処理を、モータ２１の駆動中は実行させず、モータ２１の駆動が停止した時点で実行させるようにしたので、非接触時における放電時間（基準値）がディスクトレイ１４の移動やモータ２１の駆動ノイズ等に影響されなくなるため、人体の接触を常に同じ信頼性を持って判別することができ、十分に実用に適し得るものとなる。
【００５８】
以上に、タッチスイッチ補正部３６ｃが定期的に行なっている補正処理を、モータ２１の駆動中は停止させモータ２１の駆動が停止した時点で実行させることについて説明したが、タッチスイッチ補正部３６ｃの補正処理は、リモートコントローラ１９が操作されたという条件によっても制御することができる。
【００５９】
すなわち、図７（ａ）は、タッチスイッチ補正部３６ｃが実行する通常の補正処理のタイミングを示している。つまり、タッチスイッチ補正部３６ｃは、予め設定された一定の時間ｔ１（例えば３分等）毎に、タッチスイッチ１７に対する補正処理１，２，……を実行している。
【００６０】
このような状態で、図７（ｂ）に示すように、定期的な補正処理２が開始される時点よりも前の時点で、リモートコントローラ１９が操作されて、そこから送出された操作情報が受信部２０に受信されたとする。このとき、タッチスイッチ補正制御部３６ｄは、図７（ｃ）に示すように、タッチスイッチ補正部３６ｃに対して、補正処理２を実行させるように制御する。
【００６１】
この場合、補正処理１が実行された後、次の補正処理２が実行されるまでの時間は、本来の時間ｔ１よりも短い時間ｔ４となるため、上記したようなタッチスイッチ１７の操作に対する誤まった判断が行なわれることをより確実に防止することができる。
【００６２】
また、図７（ｃ）に示すように、補正処理２が実行された後、リモートコントローラ１９が操作されなければ、タッチスイッチ補正部３６ｃは、本来の時間ｔ１が経過した後、タッチスイッチ１７に対する補正処理３を実行する。
【００６３】
なお、上記補正処理３が実行された後、図７（ｂ）に示すように、本来の時間ｔ１が経過する前に、リモートコントローラ１９が操作されて、そこから送出された操作情報が受信部２０に受信されたとする。このとき、タッチスイッチ補正制御部３６ｄは、図７（ｃ）に示すように、タッチスイッチ補正部３６ｃに対して補正処理４を実行させるように制御している。
【００６４】
この場合も、補正処理３が実行された後、次の補正処理４が実行されるまでの時間は、本来の時間ｔ１よりも短い時間ｔ５となるため、上記したようなタッチスイッチ１７の操作に対する誤まった判断が行なわれることをより確実に防止することができる。
【００６５】
上記したように、リモートコントローラ１９が操作されたということは、ユーザが光ディスク再生装置１１から離れた位置にいる、つまり、タッチスイッチ１７を操作する可能性が低いことを意味する。このため、リモートコントローラ１９の操作時に補正処理を行なえば、人体の接触による放電時間の変化に影響されることなく、非接触時における放電時間（基準値）を正確に測定することができるようになる。
【００６６】
さらに、一定間隔での補正処理では、補正処理のタイミングが、ユーザによるタッチスイッチ１７の操作と重なってしまうと、重なった回数分だけ補正処理が実行できなくなるため、接触に対する感度が鈍くなる。ところが、リモートコントローラ１９の操作時に、補正処理を実行させるようにすれば、一定の感度に補正することが可能となる。
【００６７】
また、タッチスイッチ補正部３６ｃの補正処理は、温度が一定時間内に所定量変化したという条件によっても制御することができる。すなわち、図８（ａ）は、タッチスイッチ補正部３６ｃが実行する通常の補正処理のタイミングを示している。つまり、タッチスイッチ補正部３６ｃは、予め設定された一定の時間ｔ１（例えば３分等）毎に、タッチスイッチ１７に対する補正処理１，２，……を実行している。
【００６８】
このような状態で、図８（ｂ）に示すように、定期的な補正処理１が終了した時点から、温度測定部３８により温度を測定し、次の定期的な補正処理２が開始される時点よりも前の時点で、温度が予め設定されたしきい値レベルＣ１（例えば５℃）に達したとする。
【００６９】
このとき、タッチスイッチ補正制御部３６ｄは、図８（ｃ）に示すように、タッチスイッチ補正部３６ｃに対して、補正処理２を実行させるように制御する。この場合、補正処理１が実行された後、次の補正処理２が実行されるまでの時間は、本来の時間ｔ１よりも短い時間ｔ６となるため、上記したようなタッチスイッチ１７の操作に対する誤まった判断が行なわれることをより確実に防止することができる。
【００７０】
また、図８（ｃ）に示すように補正処理２が実行された後、図８（ｂ）に示すように、本来の時間ｔ１が経過する前に、温度が予め設定されたしきい値レベルＣ１に達しない場合は、本来の時間ｔ１が経過した時点で、タッチスイッチ１７に対する補正処理３を実行する。
【００７１】
なお、上記補正処理３が実行された後、図８（ｂ）に示すように、本来の時間ｔ１が経過する前に、温度が予め設定されたしきい値レベルＣ１に達したとする。このとき、タッチスイッチ補正制御部３６ｄは、図８（ｃ）に示すように、タッチスイッチ補正部３６ｃに対して補正処理４を実行させるように制御している。
【００７２】
この場合も、補正処理３が実行された後、次の補正処理４が実行されるまでの時間は、本来の時間ｔ１よりも短い時間ｔ７となるため、上記したようなタッチスイッチ１７の操作に対する誤まった判断が行なわれることをより確実に防止することができる。
【００７３】
すなわち、光ディスク再生装置１１のような情報処理機器では、起動すると内部発熱により急激に温度が上昇し、一定の温度に飽和する。このため、温度上昇中は、補正処理の直後の方が、動作処理の直前より、接触に対する感度がよくなり、的確に接触を検出することができる。
【００７４】
また、夏場においては、情報処理機器の起動に合わせ、室内のエアーコンディショナーを動作させると、内部発熱による温度上昇と、周辺温度の温度低下とを合わせた温度変化となり、起動する前と温度が変わらない場合がある。この場合は、補正処理の直後と、補正処理の直前とで、接触に対する感度に差は生じない。
【００７５】
図９は、上記タッチスイッチ補正制御部３６ｄにおけるタッチスイッチ補正部３６ｃの補正処理を制御する動作をまとめたフローチャートを示している。すなわち、処理が開始（ステップＳ１１）されると、タッチスイッチ補正制御部３６ｄは、ステップＳ１２で、タッチスイッチ補正部３６ｃの補正処理を制御する必要のある条件が発生されたか否か、つまり、モータ２１の駆動及び停止、リモートコントローラ１９の操作、急激な温度上昇等が生じたか否かを判別する。
【００７６】
そして、補正処理を制御する必要のある条件が発生されていないと判断された場合（ＮＯ）、タッチスイッチ補正制御部３６ｄは、ステップＳ１３で、タッチスイッチ補正部３６ｃを予め設定された所定の間隔に準じたタイミングで補正処理を行なわせるように制御して、ステップＳ１２の処理に戻される。
【００７７】
また、上記ステップＳ１２で補正処理を制御する必要のある条件が発生されたと判断された場合（ＹＥＳ）、タッチスイッチ補正制御部３６ｄは、ステップＳ１４で、その発生された条件が、タッチスイッチ補正部３６ｃに補正処理を実行させる条件、つまり、モータ２１の停止、リモートコントローラ１９の操作、急激な温度上昇等が生じたか否かを判別する。
【００７８】
そして、タッチスイッチ補正部３６ｃに補正処理を実行させる条件が生じていないと判断された場合（ＮＯ）、タッチスイッチ補正制御部３６ｄは、タッチスイッチ補正部３６ｃの補正処理を停止させる条件が生じている、つまり、モータ２１の駆動中であると判断し、ステップＳ１５で、タッチスイッチ補正部３６ｃの補正処理を停止させた後、ステップＳ１２の処理に戻される。
【００７９】
また、上記ステップＳ１４でタッチスイッチ補正部３６ｃに補正処理を実行させる条件が生じていると判断された場合（ＹＥＳ）、タッチスイッチ補正制御部３６ｄは、ステップＳ１６で、タッチスイッチ補正部３６ｃに補正処理を実行させ、ステップＳ１７で、補正処理が終了したと判断された場合（ＹＥＳ）、ステップＳ１２の処理に戻される。
【００８０】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００８１】
【図１】この発明の実施の形態を示すもので、光ディスク再生装置の外観を説明するために示す正面図。
【図２】同実施の形態における光ディスク再生装置の信号処理系を説明するために示すブロック構成図。
【図３】同実施の形態における光ディスク再生装置のタッチスイッチの構成を説明するために示す回路構成図。
【図４】同実施の形態における光ディスク再生装置のタッチスイッチに対する補正処理の必要性を説明するために示す図。
【図５】同実施の形態における光ディスク再生装置のタッチスイッチに対する補正処理とモータ駆動時のノイズとの関係を説明するために示す図。
【図６】同実施の形態における光ディスク再生装置のタッチスイッチに対する補正処理制御の一例を説明するために示す図。
【図７】同実施の形態における光ディスク再生装置のタッチスイッチに対する補正処理制御の他の例を説明するために示す図。
【図８】同実施の形態における光ディスク再生装置のタッチスイッチに対する補正処理制御のさらに他の例を説明するために示す図。
【図９】同実施の形態における光ディスク再生装置のタッチスイッチに対する補正処理制御動作を説明するために示すフローチャート。
【符号の説明】
【００８２】
１１…光ディスク再生装置、１２…キャビネット、１２ａ…正面パネル、１３…電源スイッチ、１４…ディスクトレイ、１５…ディスクトレイ開閉スイッチ、１６…表示部、１７…タッチスイッチ、１７ａ…ポート、１７ｂ…人体、１７ｃ…操作パネル、１７ｄ…電極、１７ｅ…ポート、１７ｆ…トランジスタ、１７ｇ…抵抗、１７ｈ，１７ｉ…ダイオード、１８…操作部、１９…リモートコントローラ、２０…受信部、２１…モータ、２２…ディスクドライブ部、２３…光ディスク、２４…トラックバッファ、２５…デマルチプレクサ部、２６…映像入力バッファ、２７…映像デコーダ、２８…Ｄ／Ａ変換部、２９…出力端子、３０…モニタ、３１…音声入力バッファ、３２…音声デコーダ、３３…Ｄ／Ａ変換部、３４…出力端子、３５…スピーカ、３６…制御部、３６ａ…ＣＰＵ、３６ｂ…メモリ部、３６ｃ…タッチスイッチ補正部、３６ｄ…タッチスイッチ補正制御部、３７…タイマ部、３８…温度測定部。
【図１】
2009225022.tif 000003
【図２】
2009225022.tif 000004
【図３】
2009225022.tif 000005
【図４】
2009225022.tif 000006
【図５】
2009225022.tif 000007
【図６】
2009225022.tif 000008
【図７】
2009225022.tif 000009
【図８】
2009225022.tif 000010
【図９】
2009225022.tif 000011